(57)【要約】      （修正有）【課題】簡単かつ安価な構成で、長く続けて手のひらの末梢神経を摩擦により刺激することが可能である健康器具を提供する。【解決手段】健康器具１は、凹凸の表面２ａを有する面状刺激部２と、面状刺激部２の対向する端部にそれぞれ設けた装着部４，５とを含み、凹凸の表面２ａにより手のひらの末梢神経を摩擦により刺激する。凹凸の表面２ａは、少なくとも生地の表面、天然製品の表面、化学製品の表面のいずれかである。面状刺激部２を前記装着部４，５によりハンドルまたは鞄のグリップに、前記面状刺激部を覆うようにして取り付ける。【選択図】図１
2020031907.tif 000002
【特許請求の範囲】
【請求項１】
凹凸の表面を有する健康器具であり、
前記凹凸の表面により手のひらの末梢神経を摩擦により刺激することを特徴とする健康器具。
【請求項２】
前記凹凸の表面は、
少なくとも生地の表面、天然製品の表面、化学製品の表面のいずれかであることを特徴とする請求項１に記載の健康器具。
【請求項３】
凹凸の表面を有する面状刺激部と、
前記面状刺激部の対向する端部にそれぞれ設けた装着部と、を含み、
前記面状刺激部を前記装着部により取り付け、
前記面状刺激部の凹凸の表面により手のひらの末梢神経を摩擦により刺激する構成であることを特徴とする健康器具。
【請求項４】
車両のハンドルまたは鞄のグリップに、前記面状刺激部を覆うようにして取り付けることを特徴とする請求項３に記載の健康器具。
【請求項５】
前記面状刺激部の裏面に設けた滑り防止部を含み、
前記車両のハンドルまたは前記鞄のグリップに、前記滑り防止部を介して前記面状刺激部を覆うようにして取り付けることを特徴とする請求項３または請求項４に記載の健康器具。
【請求項６】
前記面状刺激部の凹凸の表面は、
少なくとも生地の表面、天然製品の表面、化学製品の表面のいずれかであることを特徴とする請求項３または請求項４に記載の健康器具。
【発明の詳細な説明】
【技術分野】
【０００１】
この発明は、手のひらの末梢神経を摩擦により刺激する健康器具に関する。
【背景技術】
【０００２】
従来から認知症を予防する対策が行われており、この対策は大きく分けて２種類で、日々認知症になりにくい生活習慣を行うものと、認知症で落ちる能力を簡単なトレーニングなどで鍛えるものとがある。これらを長く続けていくことで、認知症を発症せずにすごせたり、認知症になる時期を遅らせたりできる可能性が高まることが知られている。
【０００３】
トレーニングなどで鍛えるものとして、例えば、高齢者の認知症防止用の器具があり、クルミにぎり、不安定な器具に乗ってのバランス鍛錬、身体各部位へのツボ押し具などが開発されていた。また、下肢の足裏でバランストレーニングを行い、平衡感覚を磨き認知症の予防と改善に貢献する足上げダイエット健康器が提案されている（特許文献１）。また、万歩計（登録商標）を用いて、認知症予防対策を行うものが提案されている（特許文献２）。
【先行技術文献】
【特許文献】
【０００４】
【特許文献１】特開２００８−９３０５９号公報
【特許文献２】特開２００７−２５３４８２号公報
【発明の概要】
【発明が解決しようとする課題】
【０００５】
従来提案されているものは、いずれも認知症で落ちる能力をトレーニングで鍛えるものであるが、これらを長く続けていくことが難しく、また大型な器具であったり、コストが嵩む器具であるなどの問題があった。
【０００６】
この発明は、かかる事情に鑑みてなされたものであり、その目的は、簡単かつ安価な構成で、長く続けて手のひらの末梢神経を摩擦により刺激することが可能な健康器具を提供することにある。
【課題を解決するための手段】
【０００７】
前記課題を解決し、かつ目的を達成するために、この発明は、以下のように構成した。
【０００８】
請求項１に記載の発明は、凹凸の表面を有する健康器具であり、
前記凹凸の表面により手のひらの末梢神経を摩擦により刺激することを特徴とする健康器具である。
【０００９】
請求項２に記載の発明は、前記凹凸の表面は、
少なくとも生地の表面、天然製品の表面、化学製品の表面のいずれかであることを特徴とする請求項１に記載の健康器具である。  
【００１０】
請求項３に記載の発明は、凹凸の表面を有する面状刺激部と、
前記面状刺激部の対向する端部にそれぞれ設けた装着部と、を含み、
前記面状刺激部を前記装着部により取り付け、
前記面状刺激部の凹凸の表面により手のひらの末梢神経を摩擦により刺激する構成であることを特徴とする健康器具である。      
【００１１】
請求項４に記載の発明は、車両のハンドルまたは鞄のグリップに、前記面状刺激部を覆うようにして取り付けることを特徴とする請求項３に記載の健康器具である。
【００１２】
請求項５に記載の発明は、前記面状刺激部の裏面に設けた滑り防止部を含み、
前記車両のハンドルまたは前記鞄のグリップに、前記滑り防止部を介して前記面状刺激部を覆うようにして取り付けることを特徴とする請求項３または請求項４に記載の健康器具である。
【００１３】
請求項６に記載の発明は、前記面状刺激部の凹凸の表面は、
少なくとも生地の表面、天然製品の表面、化学製品の表面のいずれかであることを特徴とする請求項３または請求項４に記載の健康器具である。
【発明の効果】
【００１４】
前記構成により、この発明は、以下のような効果を有する。
【００１５】
請求項１乃至請求項６に記載の発明では、健康器具の凹凸の表面により手のひらの末梢神経を摩擦により刺激する簡単かつ安価な構成で、長く続けて手のひらの末梢神経を摩擦により刺激することができ、認知症を発症せずにすごせたり、認知症になる時期を遅らせたりできる可能性が高まる。
【図面の簡単な説明】
【００１６】
【図１】健康器具の構成を示す図である。
【図２】健康器具の装着部の断面図である。
【図３】車両のハンドルに取り付けた健康器具を示す図である。
【図４】鞄のグリップに取り付けた健康器具を示す図である。
【発明を実施するための形態】
【００１７】
以下、この発明の健康器具の実施の形態について説明する。この発明の実施の形態は、発明の最も好ましい形態を示すものであり、この発明はこれに限定されない。
【００１８】
（健康器具の構成）
この実施の形態の健康器具を、図１及び図２に基づいて説明する。図１（ａ）は健康器具の平面図、図１（ｂ）は健康器具の裏面図、図１（ｃ）は健康器具の側面図、図２（ａ），（ｂ）は健康器具の装着部の断面図である。
【００１９】
この健康器具１は、凹凸の表面を有する面状刺激部２と、面状刺激部２の裏面に設けた滑り防止部３と、面状刺激部２の対向する端部にそれぞれ設けた装着部４，５と、を含み、面状刺激部２の凹凸の表面２ａにより手のひらの末梢神経を摩擦により刺激する構成である。
【００２０】
面状刺激部２は、少なくとも生地、天然製品、化学製品のいずれかであり、凹凸の表面２ａを有する。生地としては、布、織物などであり、天然製品としては、天然ゴム、合成ゴムなどの製品などであり、化学製品としては、樹脂、合成樹脂などの製品である。
【００２１】
滑り防止部３は、フッ素ゴム及び／又は撥剤からなる滑り防止剤層部、酸化アルミニウムからなる滑り防止剤層部、粘着層を有する滑り防止部などが用いられる。         
【００２２】
装着部４，５は、マジックテープ（登録商標）、両面テープ、粘着剤、接着剤などを用いることができる。この健康器具１は、車両のハンドルまたは鞄のグリップに、滑り防止部３を介して面状刺激部２を覆うようにし、この面状刺激部２の端部に設けた装着部４，５により取り付ける。    
【００２３】
例えば、面状刺激部２の一方の端部の表面側に装着部４を設け、他方の端部の裏面側に装着部５を設け（図１）、この装着部４に装着部５を重ね合せるようにして取り付けると、面状刺激部２の一方の端部に、他方の端部を重ね合せた装着状態となる（図２（ａ））。また、例えば、面状刺激部２の一方の端部の裏面側に装着部４を突出するように設け、他方の端部の裏面側に装着部５を設けて、装着部４に装着部５を重ね合せるようにして取り付けると、面状刺激部２の一方の端部と、他方の端部が面一の装着状態となる（図２（ｂ））。    
【００２４】
（車両のハンドルに取り付けた健康器具）
この実施の形態を、図３に基づいて説明する。図３（ａ）は車両のハンドルの平面図、図３（ｂ）は車両のハンドルのｂ−ｂ断面図、図３（ｃ）は車両のハンドルのｃ−ｃ断面図である。
【００２５】
この実施の形態の健康器具１は、車両のハンドル１０の２カ所に、滑り防止部３を介して面状刺激部２を覆うようにして巻き付け、この面状刺激部２の両端部に設けた装着部４，５により取り付ける。この実施の形態では、車両のハンドル１０の２カ所に、健康器具１を４カ所に設けてもよく、また１カ所に設けてもよい。
【００２６】
運転者は、車両のハンドル１０を手で握って操作して運転するが、この運手中常に健康器具１の面状刺激部２を握り替えたり、滑らせるようにしてハンドル操作を行う。
この健康器具１は、面状刺激部２が凹凸の表面２ａを有していることから、ハンドル操作によって凹凸の表面２ａにより運転者の手のひらの末梢神経を摩擦により効果的に刺激する。
【００２７】
（鞄のグリップに取り付けた健康器具）
この実施の形態を、図４に基づいて説明する。図４（ａ）は鞄のグリップの側面図、図４（ｂ）は鞄のグリップのｂ−ｂ断面図である。
である。
【００２８】
この実施の形態の健康器具１は、鞄のグリップ２０の２カ所に、滑り防止部３を介して面状刺激部２を覆うようにして巻き付け、この面状刺激部２の両端部に設けた装着部４，５により取り付ける。
【００２９】
ユーザは、例えば、鞄のグリップ２０を手で握って通勤するが、この通勤中常に健康器具１の面状刺激部２を握り、あるいは右手や左手に持ち替えたりする。この健康器具１は、面状刺激部２が凹凸の表面２ａを有していることから、面状刺激部２を握り、あるいは右手や左手に持ち替えたりすることで、凹凸の表面２ａによりユーザの手のひらの末梢神経を摩擦により効果的に刺激する。
【００３０】
人の脳内の神経成長因子（ＮＧＦ）量は、高齢者になるほど減少傾向になることが知られていて、これが物忘れや認知症の原因になるとされている。神経成長因子（ＮＧＦ）量の減少を抑える方法として、例えば１日あたり２万歩程度の歩行が有効とされているが、実際に２万歩を歩行することを継続することはむずかしいが、この実施の形態の健康器具１により手のひらの末梢神経を摩擦により刺激することで、歩行と同様な結果が得られることが知られている。
【００３１】
無害な皮膚への刺激が頭頂葉皮質にある神経成長因子（ＮＧＦ）の分泌に与える影響を、麻酔をかけたラットを用いて調査した。ラットの左の後肢にやわらかいヘアブラシにより無害な刺激を与えた。右頭頂葉皮質の細胞外神経成長因子（ＮＧＦ）を、たんぱく質浸透性プローブを用いて微小透析法により集め、酵素結合の免疫吸着剤分析を用いて計量した。ブラッシングにより、細胞外神経成長因子（ＮＧＦ）の濃度が有意に増加した。この神経成長因子（ＮＧＦ）の反応はあらかじめニコチン性アセチルコリン受容体の拮抗阻害物質であるメカミルアミンを処理したラットでは観察されなかった。さらに、ブラッシングが前脳基底核（マイネルト基底核）を活性化しうるのか機能的ＭＲＩを用いて調査した。なお、前脳基底核とは大脳皮質のコリン作動性線維の主要起点である。ブラッシングの間、右前脳基底核の血中酸素濃度依存的シグナルは基準値と比較して有意に高かった。この結果は、非侵害性の皮膚への刺激が前脳基底核を活性化させ、ニコチン性アセチルコリン受容体を通じて頭頂葉皮質の神経成長因子（ＮＧＦ）の分泌を促進させることを示唆している（ｈｔｔｐｓ：／／ｗｗｗ．ｎｃｂｉ．ｎｌｍ．ｎｉｈ．ｇｏｖ／ｐｍｃ／ａｒｔｉｃｌｅｓ／ＰＭＣ４０７０４８８／参照）。
【００３２】
また、この実施の形態の健康器具１は、面状刺激部２の凹凸の表面２ａにより手のひらの末梢神経を摩擦により刺激し、皮膚の活性化を更に高めることができる。また、人体の特定の部位に対して刺激を与えるマッサージ効果を得ることができる。
【産業上の利用可能性】
【００３３】
この発明は、手のひらの末梢神経を摩擦により刺激する健康器具に適用でき、簡単かつ安価な構成で、長く続けて手のひらの末梢神経を摩擦により刺激すること
が可能である。
【符号の説明】
【００３４】
１  健康器具
２  面状刺激部
２ａ  凹凸の表面
３  滑り防止部
４，５  装着部
１０  車両のハンドル
２０  鞄のグリップ
【図１】
2020031907.tif 000003
【図２】
2020031907.tif 000004
【図３】
2020031907.tif 000005
【図４】
2020031907.tif 000006